(57)【特許請求の範囲】
【請求項１】
遊技盤の表面または裏面の所定箇所に取り付ける合成樹脂から形成された取付部材が第１の位置決孔と第２の位置決孔を有し、その位置決孔を遊技盤に形成された第１の位置決突起と第２の位置決突起に嵌合させることによって、取付部材を遊技盤に取り付けるパチンコゲーム機において、
前記第１の位置決突起と嵌合する箇所における前記第１の位置決孔の形状が、前記遊技盤の該第１の位置決突起の形状とほぼ同寸法の整合されたものであり、
前記取付部材が反った場合においても前記第２の位置決突起と嵌合する箇所における前記第２の位置決孔の形状が、前記遊技盤に対して横方向に延在して該第２の位置決突起の形状とほぼ同寸法の縦方向の幅寸法に形成されると共に該第２の位置決突起の形状よりも大きい横方向の幅寸法に形成された長穴であって、前記第１の位置決孔は該第２の位置決孔の長手方向側に配置されていることを特徴とするパチンコゲーム機。
【請求項２】
遊技盤の表面または裏面の所定箇所に取り付ける合成樹脂から形成された取付部材が第１の位置決突起と第２の位置決突起を有し、その位置決突起を遊技盤に形成された第１の位置決孔と第２の位置決孔に嵌合させることによって、取付部材を取り付けるパチンコゲーム機において、
前記第１の位置決突起と嵌合する箇所における前記第１の位置決孔の形状が、前記取付部材の該第１の位置決突起の形状とほぼ同寸法の整合されたものであり、
前記取付部材が反った場合においても前記第２の位置決突起と嵌合する箇所における前記第２の位置決孔の形状が、前記遊技盤に横方向に延在して該第２の位置決突起の形状とほぼ同寸法の縦方向の幅寸法に形成されると共に該第２の位置決突起の形状よりも大きい横方向の幅寸法に形成された長穴であって、前記第１の位置決孔は該第２の位置決孔の長手方向側に配置されていることを特徴とするパチンコゲーム機。
【発明の詳細な説明】
【０００１】
【発明の属する技術分野】
本発明は、パチンコ遊技機における遊技盤の表面に取り付けられる役物や裏面に取り付けられる誘導部材等の取付部材の取り付け構造に関する。
【０００２】
【従来の技術】
従来からパチンコゲーム機を構成する誘導部材等の取付部材の取り付けに際しては、先ず取り付けの対象となる遊技盤に対して位置決めし、その後ネジ止めすることが行われる。そこで、従来のパチンコゲーム機におけるそのような誘導部材の取り付け構造について、特開平２―７４２７６号公報に掲載されたものを示して説明する。図３は、従来のパチンコゲーム機に係る誘導部材の斜視図であり、図４は、遊技盤に誘導部材を取り付けた状態を示した断面図である。
パチンコゲーム機には、遊技盤の表面に通常入賞口、始動入賞口、或は役物入賞口等が構成され、それぞれ各入賞口から入賞した入賞球は、遊技盤の裏面に取り付けられた誘導部材５１の誘導路に沿って誘導される。そのため、この誘導部材５１は、各入賞口から入賞した入賞球が適切に誘導される位置に正確に取り付ける必要がある。この誘導部材５１は、半透明の合成樹脂材によって形成されたものである。
【０００３】
即ち、遊技盤には誘導部材を取り付けるための位置が予め決められており、その位置に位置決めした後、ビス等で遊技盤に固定する。そのような位置決めのための構成として位置決ボス５２，５２が形成されている。位置決ボス５２，５２は、図３に示すように誘導部材５１の誘導路の形成された遊技盤６１への接触面側に、定められた位置において突設されている。この位置決ボス５２，５２は、円盤状の形状を有し、その突出幅が低く、かつ突出面積が比較的大きく形成されたものである。一方、遊技盤６１には位置決ボス５２，５２と同型でほぼ同じ大きさの位置決孔６２が、裏面の所定位置に形成されている。
そこで、誘導部材５１を遊技盤６１に取り付けるには、誘導部材５１を遊技盤６１に嵌合させ遊技盤６１の裏面に簡易的に固定した後、ビス等によって誘導部材５１を貫通させ遊技盤６１に螺入させて固定させる。
【０００４】
【発明が解決しようとする課題】
ところが、このような取り付け構造のパチンコゲーム機では、取り付けに不都合が生じる問題があった。
即ち、例えば上記誘導部材５１には、その誘導部材５１を遊技盤６１に取り付けるに際し、先ず誘導部材５１に役物を固定させた後にその誘導部材５１を遊技盤６１に固定させる。そのため、誘導部材５１に役物を固定させた段階で比較的薄い合成樹脂材で形成された誘導部材５１に反りが生じてしまうことがある。また、このような付属品を取り付ける場合以外にも成形過程において伸縮してしまったり、部材による板反りも発生し得る。
従って、誘導部材５１等の取付部材に変形が生じると、従来のものでは位置決ボス５２と位置決孔６２とは、同型でほぼ同寸法で形成されていたため、二以上の取り付け位置に対しては、一箇所の取付孔６２は嵌合しても他方の箇所の取付孔６２についてはズレが生じるため適切に嵌合しないといったことが起こる。そのため、無理に変形させたり、反った部分を逆にたわませて無理にネジ止めする等といった問題が生じ得た。
【０００５】
そこで、本発明は、かかる問題点を解消すべく、反りの生じる取付部材の取り付けが容易なパチンコゲーム機を提供することを目的とする。
【０００６】
【課題を解決するための手段】
本発明のパチンコゲーム機は、遊技盤の表面または裏面の所定箇所に取り付ける合成樹脂から形成された取付部材が第１の位置決孔と第２の位置決孔を有し、その位置決孔を遊技盤に形成された第１の位置決突起と第２の位置決突起に嵌合させることによって、取付部材を遊技盤に取り付けるパチンコゲーム機において、前記第１の位置決突起と嵌合する箇所における前記第１の位置決孔の形状が、前記遊技盤の該第１の位置決突起の形状とほぼ同寸法の整合されたものであり、前記取付部材が反った場合においても前記第２の位置決突起と嵌合する箇所における前記第２の位置決孔の形状が、前記遊技盤に対して横方向に延在して該第２の位置決突起の形状とほぼ同寸法の縦方向の幅寸法に形成されると共に該第２の位置決突起の形状よりも大きい横方向の幅寸法に形成された長穴であって、前記第１の位置決孔は該第２の位置決孔の長手方向側に配置されていることを特徴とする。
【０００７】
また、本発明のパチンコゲーム機は、遊技盤の表面または裏面の所定箇所に取り付ける合成樹脂から形成された取付部材が第１の位置決突起と第２の位置決突起を有し、その位置決突起を遊技盤に形成された第１の位置決孔と第２の位置決孔に嵌合させることによって、取付部材を取り付けるパチンコゲーム機において、前記第１の位置決突起と嵌合する箇所における前記第１の位置決孔の形状が、前記取付部材の該第１の位置決突起の形状とほぼ同寸法の整合されたものであり、前記取付部材が反った場合においても前記第２の位置決突起と嵌合する箇所における前記第２の位置決孔の形状が、前記遊技盤に横方向に延在して該第２の位置決突起の形状とほぼ同寸法の縦方向の幅寸法に形成されると共に該第２の位置決突起の形状よりも大きい横方向の幅寸法に形成された長穴であって、前記第１の位置決孔は該第２の位置決孔の長手方向側に配置されていることを特徴とする。
また、本発明のパチンコゲーム機は、前記遊技盤又は取付部材に形成された位置決突起の形状が円柱形状であることが望ましい。
【０００８】
本発明のパチンコゲーム機は、遊技盤の表面または裏面の所定箇所に合成樹脂から形成された取付部材を取り付けるために、その取付部材に形成された第１の位置決孔と第２の位置決孔を遊技盤に形成された第１の位置決突起と第２の位置決突起に嵌合させる場合に、先ず第１の位置決孔を整合して形成された第１の位置決突起に嵌合し、次に前記遊技盤に対して横方向に延在して第２の位置決突起の形状とほぼ同寸法の縦方向の幅寸法に形成されると共に該第２の位置決突起の形状よりも大きい横方向の幅寸法に形成された長穴からなる第２の位置決孔を第２の位置決突起に嵌合するため、反りによって取付部材に形成された第１の位置決孔と第２の位置決孔の間の距離がズレても、第１の位置決孔は該第２の位置決孔の長手方向側に配置されていることから、取付部材を傾かせること無く取付部材を容易に取り付けることができる。
【０００９】
一方、本発明のパチンコゲーム機は、遊技盤の表面または裏面の所定箇所に合成樹脂から形成された取付部材を取り付けるために、その取付部材に形成された第１の位置決突起と第２の位置決突起を遊技盤に形成された第１の位置決孔と第２の位置決孔に嵌合させる場合に、先ず遊技盤に形成された第１の位置決孔に対し、整合して形成された取付部材の第１の位置決突起を嵌合し、次に前記遊技盤に横方向に延在して第２の位置決突起の形状とほぼ同寸法の縦方向の幅寸法に形成されると共に該第２の位置決突起の形状よりも大きい横方向の幅寸法に形成された長穴からなる第２の位置決孔に対し第２の位置決突起を嵌合するため、反りによって取付部材に形成された第１の位置決突起と第２の位置決突起間の距離がズレても、第１の位置決孔は該第２の位置決孔の長手方向側に配置されていることから、取付部材を傾かせること無く取付部材を容易に取り付けることができる。
【００１０】
【発明の実施の形態】
次に、本発明のパチンコゲーム機にかかる一実施の形態を図面を参照して説明する。図１は、本実施の形態のパチンコゲーム機の一部をなす裏トイを示した正面図であり、図２は、裏トイ１を上方（Ａ方向）からみた図である。この裏トイ１は、センタ役物を取り付けたまま遊技盤２の裏面から装着し、遊技盤２表面に構成されたセンタ役物や他の入賞口等の開口部から入賞したパチンコ球の流れを誘導するものである。
裏トイ１は、透明の合成樹脂から形成され、中央にセンタ役物３を装着させるための取付穴１２を有し、３本の誘導路１１ａ，１１ｂ，１１ｃは下方に延びている。そして、そのような形状をなす裏トイ１の周囲及び内部には垂直に誘導壁１３が形成され、遊技盤２の裏面には、この誘導壁１３が垂直に当たるように取り付けられる。
【００１１】
また、裏トイ１には、周りを囲むように数カ所に水平に張り出した固定面１４ａ，１４ｂ…１４ｇが形成されている。そして、その固定面１４ａ，１４ｂ…１４ｇには、それぞれ遊技盤２裏面に裏トイ１をネジ止め固定するためのネジ穴１５，１５…が形成されてる。特に、裏トイ１の両肩部に形成された固定面１４ａ，１４ｂには位置決突起１６，１６が形成されている。この位置決突起１６，１６は、裏トイ１を遊技盤２の裏面に取り付ける際に、その遊技盤２の裏面に形成された位置決孔２１ａ，２１ｂに嵌合させるために形成された突起である。一方、遊技盤２の裏面に形成された二つの位置決孔２１ａ，２１ｂは、その一方の位置決孔２１ｂが位置決突起１６とほぼ同寸法の円形にして整合させているのに対し、他方の位置決孔２１ａは横方向に長い長穴が形成されている。
【００１２】
そこで、このような取付構造を有するパチンコゲーム機では、先ず取付穴１２の両側に設けられた係合部１７，１８にカバー４の係合部を係合させてセンタ役物３を裏トイ１に一体に保持する。
そして、次にこのような裏トイ１を遊技盤２の裏面に取り付けるが、そのセンタ役物３を正面に正確に配置させるべく、位置決突起１６，１６を位置決孔２１ａ，２１ｂに嵌合させて位置決めする。このとき、円形の位置決め孔２１ｂに位置決突起１６を嵌合させ、続いて長穴形状の位置決孔２１ａに位置決突起１６を嵌合させる。そうすれば、例えカバー４の取り付けによって裏トイ１や遊技盤２に多少の反りが生じてしまっても、位置決突起１６と嵌合する横方向の許容寸法が大きいため、位置決突起１６，１６と位置決孔２１ａ，２１ｂとが互いに嵌合して裏トイ１が正確な位置に取り付けられる。そして、各固定面１４ａ，１４ｂ…１４ｇに形成されたネジ穴１５，１５…をネジ止めして裏トイ１を遊技盤２裏面に固定する。
【００１３】
従って、本実施の形態のパチンコゲーム機によれば、裏トイ１を遊技盤２の裏面に取り付ける位置決めのための一方の位置決孔２１ａを長穴としたため、裏トイ１や遊技盤２に反りが生じて位置決突起１６，１６間の距離と位置決孔２１ａ，２１ｂ間の距離とが変化しても、確実に位置決突起１６，１６と位置決孔２１ａ，２１ｂを嵌合させることができ、取り付けが容易なものとなった。
また、位置決突起１６，１６を確実に位置決孔２１ａ，２１ｂに嵌合させることができるので、位置の正確な取り付けが可能となった。特に、本実施の形態では、位置決突起１６に形状を横方向に長い長穴としたため、表面に現れたセンタ役物３が傾くといったことはないため、パチンコゲーム機を使用する使用者にも不快を与えることがなくなった。特に、台板の前面に設けられた液晶画面を傾かせることなく正確な位置に取り付けることができ、視覚に与える不快感を排除できる。
【００１４】
なお、本発明は上記実施の形態に限定されるものではなく、その趣旨を逸脱しない範囲で様々な変更が可能である。
例えば、上記実施の形態では裏トイ１について説明したが、これに限らず他の取付部品であってもよい。
また、上記実施の形態では位置決孔２１ａ、２１ｂを遊技盤２に形成したが、遊技盤２に突起を形成し、裏トイ１にその突起に嵌合する位置決孔を形成するようにしてもよい。
また、位置決孔及び位置決突起の形状も上記実施の形態とは別の形状のものであってもよい。
【００１５】
【発明の効果】
本発明は、遊技盤の表面または裏面の所定箇所に取り付ける合成樹脂から形成された取付部材が、第１の位置決孔と第２の位置決孔を有し、その第１の位置決孔と第２の位置決孔を遊技盤に形成された第１の位置決突起と第２の位置決突起に嵌合させることによって取り付けるが、その第１の位置決突起に嵌合する第１の位置決孔の形状が、遊技盤の第１の位置決突起の形状と整合されたものであり、第２の位置決突起に嵌合する第２の位置決孔の形状が、遊技盤に対して横方向に延在して第２の位置決突起の形状とほぼ同寸法の縦方向の幅寸法に形成されると共に該第２の位置決突起の形状よりも大きい横方向の幅寸法に形成された長孔であるので、反りによって取付部材に形成された第１の位置決孔と第２の位置決孔間の距離がズレても、第１の位置決孔は該第２の位置決孔の長手方向側に配置されていることから、取付部材を傾かせること無く取付部材を容易に取り付けることができる。従って、反りの生じる合成樹脂から形成された取付部材の取り付けが容易なパチンコゲーム機を提供することが可能となった。遊技盤が反った場合も同様に取付部材を傾かせること無く取付部材を容易に取り付けることが可能である。
【００１６】
また、本発明は、遊技盤の表面または裏面の所定箇所に取り付ける合成樹脂から形成された取付部材が、第１の位置決突起と第２の位置決突起を有し、その第１の位置決突起と第２の位置決突起を遊技盤に形成された第１の位置決孔と第２の位置決孔に嵌合させることによって取り付けるが、その第１の位置決突起に嵌合する第１の位置決孔の形状が、取付部材の第１の位置決突起の形状と整合されたものであり、その第２の位置決突起に嵌合する第２の位置決孔の形状が、遊技盤に横方向に延在して第２の位置決突起の形状とほぼ同寸法の縦方向の幅寸法に形成されると共に該第２の位置決突起の形状よりも大きい横方向の幅寸法に形成された長孔であるので、反りによって取付部材に形成された第１の位置決突起と第２の位置決突起間の距離がズレても、第１の位置決孔は該第２の位置決孔の長手方向側に配置されていることから、取付部材を傾かせること無く取付部材を容易に取り付けることができる。従って、反りの生じる合成樹脂から形成された取付部材の取り付けが容易なパチンコゲーム機を提供することが可能となった。遊技盤が反った場合も同様に取付部材を傾かせること無く取付部材を容易に取り付けることが可能である。
【図面の簡単な説明】
【図１】  本発明にかかるパチンコゲーム機を構成する遊技盤の裏面を示した図である。
【図２】  実施の形態の裏トイを上方から示した図である。
【図３】  従来のパチンコゲーム機を構成する裏トイを示した斜視図である。
【図４】  遊技盤裏面に取り付けた裏トイの断面を示した図である。
【符号の説明】
１    裏トイ
２    遊技盤
３    センタ役物
１２  取付穴
１３  誘導壁
１４ａ，１４ｂ…１４ｇ  固定面
１５，１５…  ネジ穴
１６  位置決突起
１７，１８  係合部
２１ａ，２１ｂ  位置決孔
５１  誘導部材
５２  位置決ボス
６１  遊技盤
６２  位置決孔
【図１】
0003969676.tif 000002
【図２】
0003969676.tif 000003
【図３】
0003969676.tif 000004
【図４】
0003969676.tif 000005